(57)【要約】貼付剤（１３）の膏体（１３ｂ）表面を覆う少なくとも１枚の剥離シート（１３ａ−１，１３ａ−２）を剥がして該貼付剤（１３）が身体に貼付されるよう補助する、貼付剤のシート状貼付け補助具（１）であって、幅方向に平行に折り目（Ｃ２−１，Ｃ２−２）を有する支持シート（１０）と、前記支持シート（１０）上で、前記折り目（Ｃ２−１，Ｃ２−２）から前記支持シート（１０）の一方の長手方向に延びるように形成された粘着剤層（１１−１，１１−２）とを有し、前記折り目（Ｃ２−１，Ｃ２−２）で前記粘着剤層（１１−１，１１−２）が外面側にくるように折り返された状態で、前記粘着剤層（１１−１，１１−２）は前記少なくとも１枚の剥離シート（１３ａ−１，１３ａ−２）に対して着脱可能に粘着する。
2018167988.tif 000002
【特許請求の範囲】
【請求項１】
貼付剤の膏体表面を覆う少なくとも１枚の剥離シートを剥がして該貼付剤が身体に貼付されるよう補助する、貼付剤のシート状貼付け補助具であって、  幅方向に平行に折り目を有する支持シートと、前記支持シート上で、前記折り目から前記支持シートの一方の長手方向に延びるように形成された粘着剤層とを有し、  前記折り目で前記粘着剤層が外面側にくるように折り返された状態で、前記粘着剤層は前記少なくとも１枚の剥離シートに対して着脱可能に粘着し、  前記粘着剤層が前記少なくとも１枚の剥離シートに粘着した状態で、前記少なくとも１枚の剥離シートを前記粘着剤層とともに剥がす、貼付剤のシート状貼付け補助具。
【請求項２】
前記少なくとも１枚の剥離シートは複数の剥離シートであり、  前記支持シートは、前記貼付剤を置く領域の両端部で前記支持シートを内側に折るための２つの第１の折り目と、前記２つの第１の折り目で折り返された前記支持シートの２つの折り返し部分を前記２つの第１の折り目の折り側とは反対側に折るための２つの第２の折り目とを有し、前記２つの第２の折り目のそれぞれは前記折り目であり、  前記粘着剤層は、前記２つの第２の折り目のそれぞれから、それぞれの第２の折り目に近い方の前記２つの第１の折り目の一方までの領域の少なくとも一部に設けられ、  前記貼付剤が前記領域に置かれた状態で前記支持シートが前記２つの第１の折り目で折り曲げられたときに、前記２つの第２の折り目のそれぞれは、前記粘着剤層が前記複数の剥離シートの一つの剥離シートの内側の端部と粘着するような位置に設けられている、請求項１に記載の貼付剤のシート状貼付け補助具。
【請求項３】
前記複数の剥離シートは波形の境界線により分けられた２つ又は３つの剥離シートからなり、  前記第２の折り目に沿って、複数の開孔を有し、  前記複数の開孔は前記波形の複数の谷の位置に対応して設けられている、請求項２に記載の貼付剤のシート状貼付け補助具。
【請求項４】
前記第１の折り目で折り曲げられたときに前記粘着剤層に対向するように、前記第１の折り目間に設けられた剥離剤層を有する、請求項２又は３に記載の貼付剤のシート状貼付け補助具。
【請求項５】
前記複数の剥離シートは２つの境界線で分けられた、３つの剥離シートであり、  前記貼付剤が前記領域に置かれた状態で前記支持シートが前記第１の折り目で折り曲げられたときに、前記２つの第２の折り目のそれぞれは、前記粘着剤層が前記３つの剥離シートのうちの外側の剥離シートの内側の端部と粘着するような位置に設けられている、請求項２から４のいずれか１項に記載の貼付剤のシート状貼付け補助具。
【請求項６】
前記粘着剤層は前記支持シート上に一つ設けられているとともに、前記支持シートの一方の端部に設けられている請求項１に記載の貼付剤のシート状貼付け補助具。
【請求項７】
前記複数の剥離シートは波形の境界線により分けられた２つ又は３つの剥離シートからなり、  前記折り目に沿って、複数の開孔を有し、  前記複数の開孔は前記波形の複数の谷の位置に対応して設けられている、請求項６に記載の貼付剤のシート状貼付け補助具。
【請求項８】
貼付剤の膏体表面を覆う少なくとも１枚の剥離シートを剥がして該貼付剤が身体に貼付されるよう補助する、貼付剤のシート状貼付け補助具を用いた、貼付剤の貼り付け方法であって、  幅方向に平行に折り目を有する支持シートと、前記支持シート上で、前記折り目から前記支持シートの一方の長手方向に延びるように形成された粘着剤層とを有し、前記折り目で前記粘着剤層が外面側にくるように折り返された、シート状貼付け補助具を用意し、  前記折り目で前記粘着剤層が外面側にくるように折り返された状態で、前記粘着剤層は前記少なくとも１枚の剥離シートの長手方向の端部と着脱可能に粘着し、  前記粘着剤層が前記端部と粘着した状態で、前記少なくとも１枚の剥離シートが前記端部から剥がされる、貼付剤の貼り付け方法。 
【発明の詳細な説明】
【技術分野】
【０００１】  本発明は、貼付剤のシート状貼付け補助具、及びそれを用いた貼付剤の貼り付け方法に関する。
【背景技術】
【０００２】  貼付剤は、粘着剤に薬効成分を混ぜて布などに塗り、皮膚に貼付して用いる製剤であり、腰痛、打撲、捻挫等の治療に用いられている。通常は、粘着剤を剥離シートで覆い、剥離シートの中央部に切り目やミシン目を入れて、その切り目やミシン目から剥離シートの一部を剥がして粘着剤を露出させて、皮膚に貼り付け、その後残りの剥離シートを剥がして皮膚に貼り付ける。【０００３】  貼付剤のシート状貼付け補助具の例としては、例えば、特許文献１に記載された、貼付剤の剥離紙剥離用補助紙片がある。この剥離紙剥離用補助紙片は、１対の補助紙片の対向する短辺に沿って帯状に接着剤層を形成し、使用の際は、貼付剤表面の２枚の剥離紙の境界線両側に境界線を挟んで対称に接着剤層を貼り付ける。補助紙片の開放端部を斜め上方に僅かに引いて貼付剤の剥離紙を僅かに剥がし、露出した膏体表面を皮膚に貼り付け、補助紙片の開放端部を更に引いて剥離紙を更に剥がしながら貼付剤を貼り付ける。反対側も同様に貼り付ける。こうして、剥離紙付き貼付剤を見えない部位や手の届きにくい部位にも貼付されるよう補助することができる。
【先行技術文献】
【特許文献】
【０００４】
【特許文献１】実用新案登録第３１８３６２２号公報
【発明の概要】
【発明が解決しようとする課題】
【０００５】  特許文献１に記載された剥離紙剥離用補助紙片は、剥離紙付き貼付剤を背中などの手の届きにくい部位に貼付ける場合に有効であるが、貼付剤を貼り付けた後に貼付剤を密着させるために背面側から押圧することができない。  また、剥離紙剥離用補助紙片が使い捨てされると、使用者は費用がかさむことなる。【０００６】  本発明は、身体の見えにくい部位や手の届きにくい部位でも、容易に、貼付剤を身体に密着して貼り付けることができる、貼付剤のシート状貼付け補助具、及びそれを用いた貼付剤の貼り付け方法を提供することを目的とする。  また、本発明は繰り返し使用が可能な貼付剤のシート状貼付け補助具、及びそれを用いた貼付剤の貼り付け方法を提供することを目的とする。
【課題を解決するための手段】
【０００７】  （１）  本発明に係る、貼付剤のシート状貼付け補助具は、貼付剤の膏体表面を覆う少なくとも１枚の剥離シートを剥がして該貼付剤が身体に貼付されるよう補助する、貼付剤のシート状貼付け補助具であって、  幅方向に平行に折り目を有する支持シートと、前記支持シート上で、前記折り目から前記支持シートの一方の長手方向に延びるように形成された粘着剤層とを有し、  前記折り目で前記粘着剤層が外面側にくるように折り返された状態で、前記粘着剤層は前記少なくとも１枚の剥離シートに対して着脱可能に粘着し、  前記粘着剤層が前記少なくとも１枚の剥離シートに粘着した状態で、前記少なくとも１枚の剥離シートを前記粘着剤層とともに剥がす、貼付剤のシート状貼付け補助具である。【０００８】  （２）  上記（１）の貼付剤のシート状貼付け補助具は、前記少なくとも１枚の剥離シートは複数の剥離シートであり、  前記支持シートは、前記貼付剤を置く領域の両端部で前記支持シートを内側に折るための２つの第１の折り目と、前記２つの第１の折り目で折り返された前記支持シートの２つの折り返し部分を前記２つの第１の折り目の折り側とは反対側に折るための２つの第２の折り目とを有し、前記２つの第２の折り目のそれぞれは前記折り目であり、  前記粘着剤層は、前記２つの第２の折り目のそれぞれから、それぞれの第２の折り目に近い方の前記２つの第１の折り目の一方までの領域の少なくとも一部に設けられ、  前記貼付剤が前記領域に置かれた状態で前記支持シートが前記２つの第１の折り目で折り曲げられたときに、前記２つの第２の折り目のそれぞれは、前記粘着剤層が前記複数の剥離シートの一つの剥離シートの内側の端部と粘着するような位置に設けられているようにとすることができる。【０００９】  （３）  上記（２）の貼付剤のシート状貼付け補助具は、前記複数の剥離シートは波形の境界線により分けられた２つ又は３つの剥離シートからなり、  前記第２の折り目に沿って、複数の開孔を有し、  前記複数の開孔は前記波形の複数の谷の位置に対応して設けられているようにすることができる。【００１０】  （４）  上記（２）又は（３）の貼付剤のシート状貼付け補助具は、前記第１の折り目で折り曲げられたときに前記粘着剤層に対向するように、前記第１の折り目間に設けられた剥離剤層を有するようにすることができる。【００１１】  （５）  上記（２）から（４）のいずれかの貼付剤のシート状貼付け補助具は、前記複数の剥離シートは２つの境界線で分けられた、３つの剥離シートであり、  前記貼付剤が前記領域に置かれた状態で前記支持シートが前記第１の折り目で折り曲げられたときに、前記２つの第２の折り目のそれぞれは、前記粘着剤層が前記３つの剥離シートのうちの外側の剥離シートの内側の端部と粘着するような位置に設けられているようにすることができる。【００１２】  （６）  上記（１）の貼付剤のシート状貼付け補助具は、前記粘着剤層は前記支持シート上に一つ設けられているとともに、前記支持シートの一方の端部に設けられているようにすることができる。【００１３】  （７）  上記（６）の貼付剤のシート状貼付け補助具は、前記複数の剥離シートは波形の境界線により分けられた２つ又は３つの剥離シー��からなり、  前記折り目に沿って、複数の開孔を有し、  前記複数の開孔は前記波形の複数の谷の位置に対応して設けられているようにすることができる。【００１４】  （８）  本発明に係る貼付剤の貼り付け方法は、貼付剤の膏体表面を覆う少なくとも１枚の剥離シートを剥がして該貼付剤が身体に貼付されるよう補助する、貼付剤のシート状貼付け補助具を用いた、貼付剤の貼り付け方法であって、  幅方向に平行に折り目を有する支持シートと、前記支持シート上で、前記折り目から前記支持シートの一方の長手方向に延びるように形成された粘着剤層とを有し、前記折り目で前記粘着剤層が外面側にくるように折り返された、シート状貼付け補助具を用意し、  前記折り目で前記粘着剤層が外面側にくるように折り返された状態で、前記粘着剤層は前記少なくとも１枚の剥離シートの長手方向の端部と着脱可能に粘着し、  前記粘着剤層が前記端部と粘着した状態で、前記少なくとも１枚の剥離シートが前記端部から剥がされる、貼付剤の貼り付け方法である。
【発明の効果】
【００１５】  本発明によれば、身体の見えにくい部位や手の届きにくい部位でも、容易に、貼付剤を身体に貼り付けることができる。また、貼付剤に皺が生じさせず、膏体の表面同士が貼り付いたり、衣服に貼り付いたりすることなく貼り付けることができる。また、貼付剤を身体に密着して貼り付けることができる。さらに、繰り返し使用が可能となる。
【図面の簡単な説明】
【００１６】
【図１】本発明に係る、貼付剤のシート状貼付け補助具の第１の実施形態を示す平面図である。
【図２】シート状貼付け補助具に貼付剤を載せた状態を示す平面図である。
【図３Ａ】貼付剤の一例の平面図である。
【図３Ｂ】図３Ａに示す貼付剤の側面図である。
【図４】シート状貼付け補助具に貼付剤を載せた状態で、シート状貼付け補助具を折り畳む状態を示す斜視図である。
【図５】波形の剥離シートを剥がす状態を示す図である。
【図６】長方形シートを外側に引っ張り、粘着剤層と粘着した端部から剥離シートが剥がれていく状態を示す図である。
【図７】長方形シートが延びる状態を示す図である。
【図８】シート状貼付け補助具を折りたたんで、保管状態とする状態を示す図である。
【図９】貼付剤が貼付しようとする身体の部位に貼り付けられる状態を示す図である。
【図１０】貼付剤を身体に密着して貼り付ける状態を示す図である。
【図１１】貼付剤の他の構成を示す平面図である。
【図１２】貼付剤の他の構成を示す平面図である。
【図１３】貼付剤の他の構成を示す平面図である。
【図１４】図１１に示す貼付剤に用いるシート状貼付け補助具の一実施形態を示す平面図である。
【図１５】図１４に示すシート状貼付け補助具に貼付剤を載せた状態を示す平面図である。
【図１６Ａ】本発明に係る貼付剤のシート状貼付け補助具２の第２の実施形態を示す平面図である。
【図１６Ｂ】本発明に係る貼付剤のシート状貼付け補助具２の第２の実施形態を示す側面図である。
【図１７Ａ】シート状貼付け補助具が折り目Ｄで折り曲げられた状態を示す平面図である。
【図１７Ｂ】シート状貼付け補助具が折り目Ｄで折り曲げられた状態を示す側面図である。
【図１８】剥離紙が除かれたシート状貼付け補助具２を示す平面図である。
【図１９Ａ】剥離紙が除かれたシート状貼付け補助具２が折り目Ｄで折り曲げた状態を示す平面図である。
【図１９Ｂ】剥離紙が除かれたシート状貼付け補助具２が折り目Ｄで折り曲げた状態を示す側面図である。
【図２０】本実施形態のシート状貼付け補助具が貼付剤の剥離シートに貼りつけられる様子を示す図である。
【図２１】一対の本実施形態のシート状貼付け補助具が貼付剤の２つの剥離シートに貼りつけられた状態を示す図である。
【図２２】貼付剤の中央の剥離シートが剥がされた状態を示す図である。
【図２３】一対の本実施形態のシート状貼付け補助具を引き上げる様子を示す図である。
【図２４】一対の本実施形態のシート状貼付け補助具によって、２つの剥離シートが剥がれる様子を示す図である。
【図２５】貼付剤のシート状貼付け補助具２の変形例となるシート状貼付け補助具２ａを示す平面図である。
【図２６Ａ】シート状貼付け補助具２ａが折り目Ｄで折り曲げられた状態を示す平面図である。
【図２６Ｂ】シート状貼付け補助具２ａが折り目Ｄで折り曲げられた状態を示す側面図である。
【図２７】シート状貼付け補助具２ａが貼付剤１７の剥離シートに貼りつけられる様子を示す図である。
【図２８】１枚の剥離シートに貼りつけられたシート状貼付け補助具２ａを引き上げる様子を示す図である。
【図２９】シート状貼付け補助具２ａによって、１枚の剥離シートが剥がれる様子を示す図である。
【発明を実施するための形態】
【００１７】  以下、本発明の実施形態について図面を用いて詳細に説明する。（第１の実施形態）  図１は本発明に係る、貼付剤のシート状貼付け補助具１の第１の実施形態を示す平面図である。図２はシート状貼付け補助具１に貼付剤１３を載せた状態を示す平面図である。図３Ａ及び図３Ｂは貼付剤の一構成例を示す平面図及び側面図である。図４はシート状貼付け補助具１に貼付剤１３を載せた状態で、シート状貼付け補助具１を折り畳む状態を示す斜視図である。
【００１８】  本実施形態のシート状貼付け補助具１は、図１に示すように、合成紙、樹脂フィルム等の角Ｒ付き長方形の支持シート１０と、支持シート１０上に設けられた、２つの粘着剤層１１−１，１１−２及び剥離剤層１２−１，１２−２とを備えている。  粘着剤層１１−１，１１−２に用いられる粘着剤(pressure-sensitive adhesive)は、接着剤(adhesive)のうち、常温で小さな圧力により接合でき、再はく離可能な材料をいう。粘着剤としては、ゴム系、アクリル系、シリコーン系、ウレタン系等の粘着剤を用いることができる。
【００１９】  支持シート１０は貼付剤１３を置く領域の両端部で内側に折るための２つの第１の折り目Ｃ１−１、Ｃ１−２と、第１の折り目Ｃ１−１、Ｃ１−２の外側に設けられ、２つの第１の折り目Ｃ１−１、Ｃ１−２で折り返された支持シート１０の２つの折り返し部分を第１の折り目Ｃ１−１、Ｃ１−２の折り側とは反対側に折るための２つの第２の折り目Ｃ２−１、Ｃ２−２とを備えている。折り返し部分の長さは、折り返し部分が手で掴めるような長さであればよく、特に限定されない。第１の折り目Ｃ１−１、Ｃ１−２及び第２の折り目Ｃ２−１、Ｃ２−２は支持シート１０の幅方向（図中上下方向）に平行に設けられる。  支持シート１０の短辺の幅（図１の上下方向）は、貼付剤１３を支えるために、貼付剤１３の短辺（例えば図３Ａの貼付剤１３の上下方向）と同じ、又はそれより大きく形成することが好ましい。粘着剤層１１−１、１１−２の長さは貼付剤の短辺（例えば図３の貼付剤１３の上下方向）と同じ、又はそれより短く形成することが好ましい。図１では、粘着剤層１１−１、１１−２の長さは支持シート１０の短辺の幅と同一としているが、支持シート１０の短辺の幅より短くともよい。  粘着剤層１１−１，１１−２は、貼付剤を置く主面上において第２の折り目Ｃ２−１、Ｃ２−２から内側に延び、第２の折り目Ｃ２−１、Ｃ２−２から第１の折り目Ｃ１−１、Ｃ１−２までの領域の少なくとも一部に設けられる。この領域は２つの第２の折り目Ｃ２−１、Ｃ２−２のそれぞれから、それぞれの第２の折り目に近い方の２つの第１の折り目の一方までの領域である。粘着剤層１１−１，１１−２は、支持シート１０上で、第２の折り目Ｃ２−１、Ｃ２−２から支持シート１０の一方の長手方向に延びるように形成される。
【００２０】  剥離剤層１２−１，１２−２は、第１の折り目Ｃ１−１、Ｃ１−２で折り曲げられたときに粘着剤層１１−１，１１−２に対向するように、第１の折り目Ｃ１−１、Ｃ１−２の間に設けられる。なお、本実施形態のシート状貼付け補助具１は、第１の折り目Ｃ１−１、Ｃ１−２、及び第２の折り目Ｃ２−１、Ｃ２−２で、出荷段階で折られた状態で出荷される。しかし、第１の折り目Ｃ１−１、Ｃ１−２、及び第２の折り目Ｃ２−１、Ｃ２−２が印刷等で示され、販売段階又は使用段階で、印刷等で示された第１の折り目Ｃ１−１、Ｃ１−２、及び第２の折り目Ｃ２−１、Ｃ２−２で折られてもよい。このように、第１の折り目Ｃ１−１、Ｃ１−２、及び第２の折り目Ｃ２−１、Ｃ２−２で折られていない状態のシート状貼付け補助具１も本発明の実施形態に含まれる。
【００２１】  貼付剤１３は、図３Ａ及び図３Ｂに示されるように、不織布、紙等の支持体１３Ｃの上に薬効成分を有する粘着性の膏体１３ｂを塗布し、その表面を樹脂フィルム、紙、不織布等の剥離シート１３ａ−１、１３ａ−２、１３ａ−３で覆った積層構造を有する。貼付剤１３の形状は、一般的には長方形、角Ｒ付き長方形であるが、本実施形態のシート状貼付け補助具１に用いることができる貼付剤の形状は必要に応じて決められ、特に限定されない。図３Ａに示すように、剥離シート１３ａ−１と剥離シート１３ａ−２、剥離シート１３ａ−２と剥離シート１３ａ−３とは波形の２つの境界線で分けられている。シート状貼付け補助具１は、貼付剤の膏体表面を覆う少なくとも１枚の剥離シートを剥がして貼付剤が身体に貼付されるよう補助する。
【００２２】  貼付剤は、大別してパップ剤とテープ剤とに分けられる。本実施形態のシート状貼付け補助具１は特にテープ剤に好適に用いられるが、パップ剤に用いてもよい。本実施形態のシート状貼付け補助具１は貼付剤１３の膏体表面を覆う３つの剥離シート１３ａ−１、１３ａ−２、１３ａ−３剥離シートを剥がして貼付剤１３が身体に貼付されるように補助する。第２の折り目Ｃ２−１、Ｃ２−２は、貼付剤１３が主面に置かれた状態で支持シート１０が第１の折り目Ｃ１−１、Ｃ１−２で折り曲げられたときに、粘着剤層１１−１，１１−２が外側の剥離シート１３ａ−１、１３ａ−３の内側の端部と粘着するような位置に設けられている。
【００２３】  第１の折り目Ｃ１−１と第１の折り目Ｃ１−２との間の長さＬ１は、第１の折り目Ｃ１−１と第１の折り目Ｃ１−２との間の領域に貼付剤１３を置くことができるように、貼付剤１３の長手方向の長さＬと同一又は長さＬよりも長くなるように設定される。  第１の折り目Ｃ１−１と第２の折り目Ｃ２−１との間の長さＬ２は、図４に示すように、シート状貼付け補助具１の第１の折り目Ｃ１−１、第２の折り目Ｃ２−１でＺ状に折りたたまれ、第１の折り目Ｃ１−２、第２の折り目Ｃ２−２で逆Ｚ状に折りたたまれときに、粘着剤層１１−１が剥離シート１３ａ−１の端部と粘着可能に設定される。ここでは、図２に示す粘着剤層１１−１の３つの山部１１ｍ−１が剥離シート１３ａ−１の３つの山部１３ｍ−１と粘着するように、第１の折り目Ｃ１−１と第２の折り目Ｃ２−１との間の長さＬ２が設定される。また、第１の折り目Ｃ１−２と第２の折り目Ｃ２−２との間の長さＬ３も、長さＬ２と同様に、粘着剤層１１−２が剥離シート１３ａ−３の端部と粘着可能に設定される。粘着剤層１１−２の３つの山部１１ｍ−２が剥離シート１３ａ−３の３つの山部１３ｍ−２と粘着するように、第１の折り目Ｃ１−２と第２の折り目Ｃ２−２との間の長さＬ３が設定される。一般的には、貼付剤１３の剥離シート１３ａ−１と剥離シート１３ａ−３は貼付剤１３の中心線に対して対称に配置され、貼付剤１３はシート状貼付け補助具１の中央部に置かれる。よって、第１の折り目Ｃ１−１とＣ１−２、第２の折り目Ｃ２−１とＣ２−２はシート状貼付け補助具１の中心線に対して対称な位置に配置され、長さＬ２は長さＬ３と等しくなるように設定される。
【００２４】  なお、粘着剤層１１−１の３つの山部１１ｍ−１は第２の折り目Ｃ２−１に沿って２つの開孔Ｈ１と２つのＶ字型のカット部を設けることで形成される。また、粘着剤層１１−２の３つの山部１１ｍ−２は第２の折り目Ｃ２−２に沿って２つの開孔Ｈ２と２つのＶ字型のカット部を設けることで形成される。４つのＶ字型のカット部は設けなくともよい。山部１１ｍ−１の数は剥離シート１３ａ−１の山部１３ｍ−１の数と同じとなるように設けられ、山部１３ｍ−１の数が３つであるため、山部１１ｍ−１の数を３つにするために開孔Ｈ１の数は２つ設けられる。開孔Ｈ１の位置は剥離シート１３ａ−１の波形の谷の位置に対応して設けられる。山部１１ｍ−２の数は剥離シート１３ａ−３の山部１３ｍ−２の数と同じとなるように設けられ、山部１３ｍ−２の数が３つであるため、山部１１ｍ−２の数を３つにするために開孔Ｈ２の数は２つ設けられる。開孔Ｈ２の位置は剥離シート１３ａ−３の波形の谷の位置に対応して設けられる。
【００２５】  次に、図１〜図１０を用いて本実施形態のシート状貼付け補助具１を用いて身体に貼付剤を貼り付ける方法について説明する。図５は、波形の剥離シート１３ａ−２を剥がす状態を示す図である。図６は支持シートを外側（左右）に引っ張り、粘着剤層と粘着した端部から剥離シート１３ａ−１、１３ａ−３が剥がれていく状態を示す図である。図７は、支持シートが延びる状態を示す図である。図８はシート状貼付け補助具を折りたたんで、保管状態とする状態を示す図である。図９は貼付剤が貼付しようとする身体の部位に貼り付けられる状態を示す図である。図１０は、貼付剤を身体に密着して貼り付ける状態を示す図である。  まず、図１に示すシート状貼付け補助具１を用意し、図２に示すように、第１の折り目Ｃ１−１と第１の折り目Ｃ１−２との間に、膏体上を３つの剥離シート１３ａ−１、１３ａ−２、１３ａ−３で覆った貼付剤１３を置く。貼付剤１３はシート状貼付け補助具１のほぼ中央部に置かれる。
【００２６】  次に、図４に示すように、貼付剤１３の両端部の外側に設けられた２つの第１の折り目Ｃ１−１、Ｃ１−２でシート状貼付け補助具１を内側に折り、２つの第１の折り目Ｃ１−１、Ｃ１−２の外側に設けられた２つの第２の折り目Ｃ２−１，Ｃ２−２で、シート状貼付け補助具１を第１の折り目Ｃ１−１、Ｃ１−２の折り側とは反対に折る。そして、シート状貼付け補助具１の第１の折り目Ｃ１−１、第２の折り目Ｃ２−１でＺ状に折りたたみ、第１の折り目Ｃ１−２、第２の折り目Ｃ２−２で逆Ｚ状に折りたたんで、粘着剤層１１−１が剥離シート１３ａ−１の対向する端部と粘着し、粘着剤層１１−２が剥離シート１３ａ−３の対向する端部と粘着するようにする。このとき、粘着剤層１１−１の３つの山部１１ｍ−１が剥離シート１３ａ−１の３つの山部１３ｍ−１と粘着し、粘着剤層１１−２の３つの山部１１ｍ−２が剥離シート１３ａ−３の３つの山部１３ｍ−２と粘着する。第２の折り目Ｃ２−１，Ｃ２−２で折り返されたときに粘着剤層１１−１、１１−２が外面側にくるようにされた状態で、粘着剤層１１−１、１１−２は剥離シート１３ａ−１、１３ａ−３に対して着脱可能に粘着する。なお、ここでは２つの第１の折り目Ｃ１−１、Ｃ１−２と２つの第２の折り目Ｃ２−１，Ｃ２−２とは使用時に折られているが、出荷時又は販売時に折られる場合は、折られたシート状貼付け補助具１を開いて貼付剤１３を置き、その後に、シート状貼付け補助具１を折りたたんで、粘着剤層１１−２、１１−２が剥離シート１３ａ−１、１３ａ−３の対向する端部と粘着するようにする。
【００２７】  次に、図５に示すように、対向する二辺が波形の剥離シート１３ａ−２を剥がす。すると、貼付剤１３の膏体１３ｂの表面が露出する。そして、貼付剤１３を貼付しようとする身体の部位に、露出した膏体１３ｂを貼り付け、図６及び図９に示すように、支持シート１０の折り返し部を外側（左右）に引っ張る。すると、剥離シート１３ａ−１が、粘着剤層１１−１に粘着した剥離シート１３ａ−１の内側の端部から剥がれていくとともに、剥離シート１３ａ−３が粘着剤層１１−２と粘着した剥離シート１３ａ−３の内側の端部から剥がれていき、露出した膏体１３ｂの面積が増えて貼付剤１３を貼付しようとする身体の部位に貼り付けられる。そして、図７に示すように、支持シート１０が延びきり、図１０に示すように、身体の部位に支持シート１０を押しつけると、貼付剤１３を身体に密着して貼り付けることができる。
【００２８】  このように、本実施形態のシート状貼付け補助具１は、背中、腰などの見えにくい部位や手の届きにくい部位でも、容易に、貼付剤１３を身体に貼り付けることができる。また、支持シート１０を外側に引っ張ることにより貼付剤１３の支持体に張力を与えながら貼り付けるので貼付剤１３に皺が生じることがなく、貼り付け途中は、膏体は徐々に表面が露出し身体に貼りつくので膏体の表面同士が貼り付いたりすることがない。また、貼付剤１３は支持シート１０で外側から覆われた状態で身体に貼りつくので、膏体が衣服に貼り付いたりすることもない。また、支持シートが延びきった状態で、身体の部位に支持シートを押しつけると、貼付剤を身体に密着して貼り付けることができる。さらに、２枚の剥離シートを同時に剥がすことができる。  貼付剤１３を身体に貼り付けた後は、シート状貼付け補助具１は図１に示す状態に戻る。シート状貼付け補助具１を再利用したい場合に、粘着剤層１１−１、１１−２が露出したままで保管すると、ほこり等が付着することで接着力が低下してしまう場合がある。
【００２９】  本実施形態では、シート状貼付け補助具１は、保管状態では図８のように折り畳み、粘着剤層１１−１、１１−２がそれぞれ剥離剤層１２−１，１２−２に付くようにする。これを実現するために、粘着剤層１１−１と剥離剤層１２−１を第１の折り目Ｃ１−１を中心線として対称となるように配置し、粘着剤層１１−２と剥離剤層１２−２を第１の折り目Ｃ１−２を中心線として対称となるように配置する。出荷時も同様に、粘着剤層１１−１、１１−２がそれぞれ剥離剤層１２−１，１２−２に付くようにすれば、粘着剤層１１−１、１１−２に剥離紙を貼り付けておかなくともよくなる。
【００３０】  図８に示すように、粘着剤層１１−１、１１−２が剥離剤層１２−１，１２−２に付くように、シート状貼付け補助具１を折りたたんだ状態で保管することで、粘着剤層１１−１、１１−２にほこり等が付着することを防止するとともに、折りたたまれることで保管場所を小さくすることできる。
【００３１】  上記実施形態は図３Ａ及び図３Ｂに示したように、貼付剤１３の剥離シートが中央部で波形の境界線で３分割されて剥離シート１３ａ−１〜１３ａ−３で構成されている場合のシート状貼付け補助具の構成例及び貼付け方法の例である。しかし、貼付剤は貼付剤１３の構成に限定されず、貼付剤には図１１に示すように貼付剤１４の剥離シートが２本の直線状の境界線で分割されているもの、図１２に示すように貼付剤１５の剥離シートが１本の直線状の境界線で分割されているもの、図１３に示すように貼付剤１６の剥離シートが１本の波形の境界線で分割されているものがある。図１４は図１１に示す貼付剤に用いるシート状貼付け補助具の一実施形態を示す平面図である。図１５は図１４に示すシート状貼付け補助具に貼付剤を載せた状態を示す平面図である。
【００３２】  図１１に示す貼付剤１４に用いるシート状貼付け補助具は、図１４及び図１５に示すように、シート状貼付け補助具１の開孔Ｈ１，Ｈ２及びＶ字型のカット部を設けず、粘着剤層１１−１、１１−２を山部のない帯状とし、粘着剤層１１−１、１１−２が貼付剤１４の剥離シート１４ａ−１、１４ａ−３の内側の端部にそれぞれ粘着するようにすればよい。
【００３３】  図１２に示す貼付剤１５に用いるシート状貼付け補助具は、図１４に示すシート状貼付け補助具と同様に、シート状貼付け補助具１の開孔Ｈ１，Ｈ２及びＶ字型のカット部を設けず、粘着剤層１１−１、１１−２を山部のない帯状とし、粘着剤層１１−１、１１−２が剥離シート１５ａ−１、１５ａ−２の内側の端部にそれぞれ粘着するようにすればよい。図１２に示す貼付剤１５に用いるシート状貼付け補助具は、第１の折り目Ｃ１−１と第２の折り目Ｃ２−１との間の長さＬ２と、第１の折り目Ｃ１−２と第２の折り目Ｃ２−２との間の長さＬ３との合計が第１の折り目Ｃ１−１と第１の折り目Ｃ１−２との間の長さＬ１と同一又はほぼ等しくなるようにする。
【００３４】  図１３に示す貼付剤１６に用いるシート状貼付け補助具は、シート状貼付け補助具１の開孔Ｈ１は剥離シート１６ａ−１の波形の谷の位置に対応して設けられ、開孔Ｈ２は剥離シート１６ａ−２の波形の谷の位置に対応して設けられる。そして、粘着剤層１１−１の３つの山部が剥離シート１６ａ−１の３つの山部と粘着し、粘着剤層１１−２の４つの山部が剥離シート１６ａ−２の４つの山部と粘着するようにすればよい。剥離シート１６ａ−２の４つの山部のうちの両端の山部は半分の大きさなので、これらの部分に対応する粘着剤層１１−２の山部は設けなくともよい。  なお、貼付剤１５又は貼付剤１６を用いる場合には、中心部の剥離シートがないため、剥離シート１５ａ−１と剥離シート１５ａ−２、又は剥離シート１６ａ−１と剥離シート１６ａ−２の対向する端部がシート状貼付け補助具によって引き上げて、貼付剤１５又は１６の膏体の一部が露出したときに、露出した膏体の一部を身体に貼り付ける。
【００３５】（第２の実施形態）  第１の実施形態のシート状貼付け補助具１は、支持シート１０上に設けられた粘着剤層１１−１、１１−２により、支持シート１０の中央部に配置した貼付剤の２枚の剥離シートを同時に剥がすものであった。しかし、１枚の剥離シートを剥がすために、本実施形態のシート状貼付け補助具を用いてよい。  図１６（Ａ）及び図１６（Ｂ）は本発明に係る、貼付剤のシート状貼付け補助具２の第２の実施形態を示す平面図及び側面図である。図１７Ａ及び図１７Ｂはシート状貼付け補助具が折り目Ｄで折り曲げられた状態を示す平面図及び側面図である。図１８は剥離紙が除かれたシート状貼付け補助具２を示す平面図である。図１９Ａ及び図１９Ｂは剥離紙が除かれたシート状貼付け補助具２が折り目Ｄで折り曲げた状態を示す平面図及び側面図である。
【００３６】  本実施形態のシート状貼付け補助具２は、図１６（Ａ）及び図１６（Ｂ）に示すように、一方の端部の角がＲを有する、合成紙、樹脂フィルム等のからなる支持シート２０と、支持シート２０の他方の端部に設けられた粘着剤層２１と、粘着剤層２１上に設けられた剥離紙２２とを備えている。シート状貼付け補助具２は、貼付剤の膏体表面を覆う少なくとも１枚の剥離シートを剥がして該貼付剤が身体に貼付されるよう補助する。図１６（Ａ）では、粘着剤層２１の長さは支持シート２０の短辺の幅と同一としているが、支持シート１０の短辺の幅より短くともよい。粘着剤層２１の長さは貼付剤の短辺（例えば図３の貼付剤１３の上下方向）と同じ、又はそれより短く形成することが好ましい。支持シート２０の長さは、粘着剤層を除く部分が手で掴めるような長さであれば特に限定されない。粘着剤層２１は、支持シート２０上で、折り目Ｄから支持シート２０の一方の長手方向に延びるように形成される。ここでは、粘着剤層２１は支持シート２０の端部に形成される。  粘着剤層２１に用いられる粘着剤(pressure-sensitive adhesive)は、接着剤(adhesive)のうち、常温で小さな圧力により接合でき、再はく離可能な材料をいう。粘着剤としては、ゴム系、アクリル系、シリコーン系、ウレタン系等の粘着剤を用いることができる。
【００３７】  図１８に示すように、支持シート２０は粘着剤層２１の内側の端部で粘着剤層が外面に配されるように折るための折り目Ｄを備えている。折り目Ｄは支持シート２０の幅方向（図中上下方向）に平行に設けられる。折り目Ｄに沿って２つの開孔Ｈ２１と２つのＶ字型のカット部が形成される。図１７Ａ及び図１７Ｂは、剥離紙２２で被覆された粘着剤層２１が外面に配されるように、折り目Ｄで折られた状態を示している。粘着剤層２１はシート状貼付け補助具２が使用されないとき、例えば、保管時には、粘着剤層２１は剥離紙２２で被覆されており、剥離紙２２は、シート状貼付け補助具２の使用時に図１９Ａ及び図１９Ｂのように折られた後に剥がされる。剥離紙２２で粘着剤層２１を覆う理由は、粘着剤層２１が露出したままでシート状貼付け補助具２が保管されると、粘着剤層２１にほこり等が付着することで接着力が低下してしまう場合があるからである。剥離紙２２はポリエチレン、紙、不織布等を用いることができる。剥離紙２２は、粘着剤層２１の平面形状と同じとするか（長さ及び幅が同一）、又は剥離紙２２の幅を粘着剤層２１の幅よりも広く形成することが好ましい。
【００３８】  図１８に示すように、粘着剤層２１の内側の端部は、２つの開孔Ｈ２１と２つのＶ字型のカット部によって、３つの山部２１ｍが形成されている。これらの山部２１ｍは図２に示した３つの山部１１ｍ−１又は３つの山部１１ｍ−２と同様な形状である。折り目Ｄで支持シート２０が折られると、図１９Ａに示すように、３つの山部２１ｍがシート状貼付け補助具２の端部に配置されるようになる。粘着剤層２１に山部が形成される理由は、その山部が図３Ａ及び図３Ｂに示した貼付剤１３の剥離シート１３ａ−１又は１３ａ−３の山部に対応して粘着するようにするためである。  粘着剤層２１の山部２１ｍの数は剥離シート１３ａ−１又は剥離シート１３ａ−３の山部の数と同じとなるように設けられる。ここでは、３つの山部２１ｍを形成するために開孔Ｈ２１の数は２つ設けられる。開孔Ｈ２１の位置は剥離シート１３ａ−１又は１３ａ−３の波形の谷の位置に対応して設けられる。
【００３９】  なお、本実施形態のシート状貼付け補助具２は、ここでは、使用段階で、折り目Ｄで折られている。よって、出荷段階及び販売段階では、シート状貼付け補助具２は折り目Ｄで折られていない。しかし、折り目Ｄで折られた状態で出荷されてもよく、販売段階で折られてもよい。折り目Ｄは、折りやすいように、印刷等で示してもよい。
【００４０】  図１８、図１９Ａ及び図１９Ｂに示す形状から明らかなように、シート状貼付け補助具２は図１に示すシート状貼付け補助具１の一部の領域１０ａ、１０ｂを切り取った形状となっている。例えば図１の粘着剤層１１−２の開口Ｈ−２を設けた側と反対側の端部で、シート状貼付け補助具１を切り取れば、シート状貼付け補助具２と類似する形状となる。  次に、図１６〜図２４を用いて本実施形態のシート状貼付け補助具２を用いて身体に貼付剤を貼り付ける方法について説明する。図２０は、本実施形態のシート状貼付け補助具が貼付剤の剥離シートに貼りつけられる様子を示す図である。図２１は一対の本実施形態のシート状貼付け補助具が貼付剤の２つの剥離シートに貼りつけられた状態を示す図である。図２２は貼付剤の中央の剥離シートが剥がされた状態を示す図である。図２３は一対の本実施形態のシート状貼付け補助具を引き上げる様子を示す図である。図２４は一対の本実施形態のシート状貼付け補助具によって、２つの剥離シートが剥がれる様子を示す図である。
【００４１】  まず、折り目で折られたシート状貼付け補助具２−１、２−２を用意する。シート状貼付け補助具２−１、２−２は図１７に示すシート状貼付け補助具２にそれぞれ対応する。図１９Ａ及び図１９Ｂに示すように、シート状貼付け補助具２−１、２−２の剥離紙２２を剥がして粘着剤層２１を露出させる。その後、図２０に示すように、シート状貼付け補助具２−１の露出した粘着剤層２１の３つの山部２１ｍが貼付剤１３の剥離シート１３ａ−３の内側端部の３つの山部１３ｍ−２と粘着するように貼り合わせる。シート状貼付け補助具２−２についても同様に、露出した粘着剤層２１の３つの山部２１ｍが貼付剤１３の剥離シート１３ａ−３の内側端部の３つの山部１３ｍ−２と粘着するように貼り合わせる。このようにして、図２１に示すように、シート状貼付け補助具２−１、２−２が貼付剤１３に貼られる。
【００４２】  次に、図２２に示すように、対向する二辺が波形の剥離シート１３ａ−２を剥がす。すると、貼付剤１３の膏体１３ｂの表面が露出する。そして、貼付剤１３を貼付しようとする身体の部位に、露出した膏体１３ｂを貼り付ける。貼付剤１３の膏体１３ｂを貼り付けた状態で、図２３に示すように、シート状貼付け補助具２−１、２−２のそれぞれの開放端部を貼付剤１３の外側（左右）の斜め上方に引く。すると、図２４に示すように、剥離シート１３ａ−１及び１３ａ−３はそれぞれ、内側の端部から剥がれていく。そして、剥離シート１３ａ−１及び１３ａ−３が徐々に剥がれていくと、露出した膏体１３ｂの面積が増えて貼付剤１３を貼付しようとする身体の部位に貼り付けられる。
【００４３】  このように、本実施形態のシート状貼付け補助具２は、背中、腰などの見えにくい部位や手の届きにくい部位でも、容易に、貼付剤１３を身体に貼り付けることができる。また、シート状貼付け補助具２−１、２−２を外側に引っ張ることにより貼付剤１３の支持体に張力を与えながら貼り付けるので貼付剤１３に皺が生じることがなく、貼り付け途中は、膏体は徐々に表面が露出し身体に貼りつくので膏体の表面同士が貼り付いたりすることがない。
【００４４】  以上説明した貼付剤の貼付け方法では、シート状貼付け補助具２−１、２−２を外側に同時に引っ張ることにより身体に貼りつける場合について説明したが、シート状貼付け補助具２−１、２−２を同時に引っ張る必要はなく、シート状貼付け補助具２−１、２−２のうちの一方のシート状貼付け補助具を引っ張って身体に部分的に貼りつけた後に、他方のシート状貼付け補助具を引っ張って身体に貼りつけてもよい。
【００４５】  上記実施形態は図３Ａ及び図３Ｂに示したように、貼付剤１３の剥離シートが中央部で波形の境界線で３分割されて剥離シート１３ａ−１〜１３ａ−３で構成されている場合のシート状貼付け補助具２−１、２−２の構成例及び貼付け方法の例である。しかし、貼付剤は貼付剤１３の構成に限定されず、第１の実施形態において説明したように、貼付剤には図１１に示すように貼付剤１４の剥離シートが２本の直線状の境界線で分割されているもの、図１２に示すように貼付剤１５の剥離シートが１本の直線状の境界線で分割されているもの、図１３に示すように貼付剤１６の剥離シートが１本の波形の境界線で分割されているものがある。
【００４６】  図１１に示す貼付剤１４に用いるシート状貼付け補助具２−１、２−２は、開孔Ｈ２１及びＶ字型のカット部を設けず、粘着剤層２１を山部のない帯状とし、粘着剤層２１が貼付剤１４の剥離シート１４ａ−１、１４ａ−３の内側の端部にそれぞれ粘着するようにすればよい。
【００４７】  図１２に示す貼付剤１５に用いるシート状貼付け補助具２−１、２−２は、開孔Ｈ２１及びＶ字型のカット部を設けず、粘着剤層２１を山部のない帯状とし、粘着剤層２１が剥離シート１５ａ−１、１５ａ−２の内側の端部にそれぞれ粘着するようにすればよい。
【００４８】  図１３に示す貼付剤１６に用いるシート状貼付け補助具２−１、２−２は、シート状貼付け補助具２−１の開孔Ｈ２１は剥離シート１６a−２の波形の谷の位置に対応して設けられ、シート状貼付け補助具２−２の開孔H２１は剥離シート１６a−１の波形の谷の位置に対応して設けられる。そして、シート状貼付け補助具２−１の粘着剤層２１の４つの山部が剥離シート１６ａ−２の４つの山部と粘着し、シート状貼付け補助具２−２の粘着剤層２１の３つの山部が剥離シート１６ａ−１の３つの山部と粘着するようにすればよい。剥離シート１６ａ−２の４つの山部のうちの両端の山部は半分の大きさなので、これらの部分に対応する粘着剤層２１の山部は設けなくともよい。
【００４９】  第１の実施形態では、貼付剤の長さ又は複数の剥離シートの境界の位置に変更があると、それに対応させて第１及び第２の折り目の少なくとも一方の位置を変更することが求められる。本実施形態では貼付剤の長さ又は複数の剥離シートの境界の位置が変更されても、シート状貼付け補助具２−１、２−２は別々に剥離シートに粘着されるために、貼付剤の長さ又は境界の位置の変更の影響を受けることがない。
【００５０】（膏体の表面全体が１枚の剥離シートで覆われた貼付剤への適用例）  以上説明した例は、貼付剤の膏体表面を覆う複数の剥離シートのうちの２つの剥離シートを剥がして、貼付剤が身体に貼り付けられる例である。図１６Ａと図１６Ｂ、及び図１７Ａと図１７Ｂに示したシート状貼付け補助具２は、開孔Ｈ２１及びＶ字型のカット部を設けないようにすることで、貼付剤の膏体表面全体を覆う１枚の剥離シートを剥がして、貼付剤が身体に貼り付けられる場合にも用いることができる。
【００５１】  図２５は貼付剤のシート状貼付け補助具２の変形例となるシート状貼付け補助具２ａを示す平面図である。図２６Ａ及び図２６Ｂはシート状貼付け補助具２ａが折り目Ｄで折り曲げられた状態を示す平面図及び側面図である。なお、図２５、図２６Ａ及び図２６Ｂは、剥離紙が除かれたシート状貼付け補助具２ａを示し、図１８、図１９Ａ及び図１９Ｂに対応している。粘着剤層３１はシート状貼付け補助具２ａが使用されないとき、例えば、保管時には、剥離紙で被覆されており、剥離紙は、シート状貼付け補助具２ａの使用時に図２６Ａ及び図２６Ｂのように折られた後に剥がされる。
【００５２】  図２５、図２６Ａ及び図２６Ｂに示すシート状貼付け補助具２ａが図１８、図１９Ａ及び図１９Ｂに示すシート状貼付け補助具２と異なるのは、図２５に示すように、四隅の角がＲを有する、合成紙、樹脂フィルム等のからなる支持シート３０と、支持シート３０の一方の端部の形状と同じ形状の粘着剤層３１とを備えている点である。粘着剤層３１は図１８に示す粘着剤層２１と異なり、内側に開孔Ｈ２１がなく、Ｖ字型のカット部にＲが設けられている。
【００５３】  次に、図２７〜図２９を用いて、シート状貼付け補助具２ａを用いて身体に貼付剤を貼り付ける方法について説明する。図２７は、シート状貼付け補助具２ａが貼付剤１７の剥離シートに貼りつけられる様子を示す図である。図２８は１枚の剥離シートに貼りつけられたシート状貼付け補助具２ａを引き上げる様子を示す図である。図２９はシート状貼付け補助具２ａによって、１枚の剥離シートが剥がれる様子を示す図である。
【００５４】  貼付剤１７は膏体の表面全体が１枚の剥離紙で覆われた貼付剤であり、図２８に示すように、貼付剤１７は、不織布、紙等の支持体１７Ｃの上に薬効成分を有する粘着性の膏体１７ｂを塗布し、膏体１７ｂの全体表面を樹脂フィルム、紙、不織布等の剥離シート１７ａで覆った積層構造を有する。貼付剤１７の形状は、一般的には長方形、角Ｒ付き長方形であるが、シート状貼付け補助具２ａに用いることができる貼付剤の形状は特に限定されない。
【００５５】  まず、折り目で折られたシート状貼付け補助具２ａを用意する。図２６Ａ及び図２６Ｂに示すように、シート状貼付け補助具２ａの剥離紙を剥がして粘着剤層３１を露出させる。その後、図２７に示すように、シート状貼付け補助具２ａの露出した粘着剤層３１が貼付剤１７の剥離シートの一方の端部と粘着するように貼り合わせる。このようにして、シート状貼付け補助具２ａが貼付剤１７に貼られる。
【００５６】  次に、図２８に示すように、シート状貼付け補助具２ａの開放端部を貼付剤１７の粘着剤層３１が粘着された端部と反対側の端部方向の斜め上方にわずかに引く。すると、図２９に示すように、貼付剤１７の膏体１７ｂの表面の一部が露出する。そして、貼付剤１３を貼付しようとする身体の部位に、露出した膏体１７ｂの一部を貼り付ける。粘着剤層３１を貼付剤１７の膏体１７ｂを貼り付けた状態で、図２９に示すように、剥離シート１７ａは端部から剥がれていく。そして、シート状貼付け補助具２ａの開放端部を更に、斜め上方に引いていくと、剥離シート１７ａ徐々に剥がれていき、露出した膏体１７ｂの面積が増えて貼付剤１７を貼付しようとする身体の部位に貼り付けられる。
【００５７】  このように、シート状貼付け補助具２ａは、背中、腰などの見えにくい部位や手の届きにくい部位でも、容易に、貼付剤１７を身体に貼り付けることができる。また、シート状貼付け補助具２ａを引っ張ることにより貼付剤１７の支持体に張力を与えながら貼り付けるので貼付剤１７に皺が生じることがなく、貼り付け途中は、膏体は徐々に表面が露出し身体に貼りつくので膏体の表面同士が貼り付いたりすることがない。
【００５８】  以上説明した第２の実施形態のシート状貼付け補助具２、２−１、２−２及び２ａは、貼付剤を身体に貼り付けた後に粘着した剥離シートを粘着剤層２１及び３１から剥がすと、粘着剤層２１及び３１が露出した状態となる。粘着剤層２１及び３１が露出したままで保管すると、ほこり等が付着することで接着力が低下してしまう場合がある。そこで、シート状貼付け補助具２、２−１、２−２及び２ａを再利用したい場合に、粘着剤層２１、３１を剥離紙で覆うことが好ましい。
【００５９】  以上、本発明の代表的な各実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【００６０】  本願は、２０１７年３月１５日に出願された特願２０１７−０５００５３号に基づき、優先権の利益を主張するものである。そして、特願２０１７−０５００５３号の内容は本願の明細書の内容に含まれる。
【符号の説明】
【００６１】  １、２、２ａ  貼付剤のシート状貼付け補助具  １０、２０，３０  支持シート  １１−１、１１−２、２１  粘着剤層  １２−１、１２−２  剥離剤層  １３、１４、１５、１６、７０  貼付剤１３ａ−１〜１３ａ−３、１４ａ−１〜１４ａ−３、１５ａ−１、１５ａ−３、１６ａ−１、１６ａ−３，１７ａ  剥離シート
【図１】
2018167988.tif 000003
【図２】
2018167988.tif 000004
【図３Ａ】
2018167988.tif 000005
【図３Ｂ】
2018167988.tif 000006
【図４】
2018167988.tif 000007
【図５】
2018167988.tif 000008
【図６】
2018167988.tif 000009
【図７】
2018167988.tif 000010
【図８】
2018167988.tif 000011
【図９】
2018167988.tif 000012
【図１０】
2018167988.tif 000013
【図１１】
2018167988.tif 000014
【図１２】
2018167988.tif 000015
【図１３】
2018167988.tif 000016
【図１４】
2018167988.tif 000017
【図１５】
2018167988.tif 000018
【図１６Ａ】
2018167988.tif 000019
【図１６Ｂ】
2018167988.tif 000020
【図１７Ａ】
2018167988.tif 000021
【図１７Ｂ】
2018167988.tif 000022
【図１８】
2018167988.tif 000023
【図１９Ａ】
2018167988.tif 000024
【図１９Ｂ】
2018167988.tif 000025
【図２０】
2018167988.tif 000026
【図２１】
2018167988.tif 000027
【図２２】
2018167988.tif 000028
【図２３】
2018167988.tif 000029
【図２４】
2018167988.tif 000030
【図２５】
2018167988.tif 000031
【図２６Ａ】
2018167988.tif 000032
【図２６Ｂ】
2018167988.tif 000033
【図２７】
2018167988.tif 000034
【図２８】
2018167988.tif 000035
【図２９】
2018167988.tif 000036
【国際調査報告】
2018167988.tif 000037
2018167988.tif 000038
2018167988.tif 000039
2018167988.tif 000040